(57)【要約】【課題】本発明はプログラムコントローラ装置を開示した。【解決手段】収容箱を含み、前記収容箱に分離筐体が設置され、前記分離筐体の左右内壁に相通するように対称する第一収容筐体が設置され、前記第一収容筐体が前記分離筐体の中心と離れる内壁に相通するように対称する第二収容筐体が設置され、前記分離筐体に打ち砕くブレードが設置され、前記打ち砕くブレードの下端に砕け輪が設置され、砕け輪の下端に収集箱が設置され、前記分離筐体の後端に相通するように第三収容筐体が設置される。【選択図】図4
2019181439.tif 000002
【特許請求の範囲】
【請求項１】
プログラムコントローラ装置であって、収容箱を含み、前記収容箱に分離筐体が設置され、前記分離筐体の左右内壁に相通するように対称する第一収容筐体が設置され、前記第一収容筐体が前記分離筐体の中心と離れる内壁に相通するように対称する第二収容筐体が設置され、前記分離筐体の後端に相通するように第三収容筐体が設置され、前記分離筐体に第一フィルターが設置され、前記第一フィルターの下端に第二フィルターが設置され、前記第二フィルターの下端に液箱が固定的に接続され、前記液箱の底部と前記第一収容筐体の間に相通するようにカテーテルが設置され、前記第一収容筐体の前端内壁に相通するように排泄溝が設置され、前記排泄溝のもう一端が前記収容箱の前端端面を通り抜けて、前記第一フィルターの頂部端面に第一スクレーパーが摺動可能なように係合して接続され、前記第一フィルターの左右両端に対称に前記第一収容筐体に伸びる第一斜角板が固定的に接続され、前記第二フィルターの頂部に第二スクレーパーが摺動可能なように係合して接続され、前記第二フィルターの左右両端に対称的に前記第二収容筐体に伸びる第二斜角板が固定的に接続され、前記第二フィルターの底部端面に前記液箱の後端に位置する伝導ブロックが摺動可能なように係合して接続され、前記伝導ブロックに上下に伸びる第一伝導溝が設置され、前記伝導ブロックに前記第一伝導溝の下に位置し左右に伸びる第二伝導レバーが摺動可能なように係合して接続され、前記第二伝導レバーの左右両端が前記分離筐体の左右両端内壁に固定的に接続し、前記分離筐体の後端内壁に左右に前記第一スクレーパーの後端に位置するE型滑り接続ブロックが摺動可能なように係合して接続され、前記第一スクレーパー、前記第二スクレーパー、前記滑り接続ブロックの後端が前記E型滑り接続ブロックの前端末と固定的に接続し、前記第二収容筐体の頂部内壁に第一モーターが設置され、前記第一モーターが下に伸びる第一回転軸と動力が伝達可能なように接続し、前記第一回転軸の周りに打ち砕くブレードが固定的に接続され、前記打ち砕くブレードの下端に左右対称に下に伸びる第三斜角板が設置され、前記第三斜角板が前記第二収容筐体の中心と離れる一端が前記第二収容筐体と固定的に接続し、前記第二収容筐体に前記第三斜角板の下端に位置し左右に対称する砕け輪が設置され、前記砕け輪の中に前後に伸びて、後端が前記第二収容筐体の後端内壁を通り抜けて前記第三収容筐体に伸びる第二回転軸が固定的に接続され、前記第二回転軸の前端末がベアリングを通じて前記収容箱に回転可能なように取り付けられ、前記第二収容筐体の底部に口が前記第二収容筐体の中心と離れる第二伝導溝が設置され、前記第二伝導溝に集取箱が摺動可能なように係合して接続され、前記第三収容筐体の後端内壁に第二モーターが設置され、前記第二モーターに前に伸びて前記第三収容筐体の前端内壁を通り抜けて前記分離筐体に伸びる第一回転軸が動力が伝達可能なように接続され、前記第一回転軸がベアリングを通じて前記第三収容筐体の前端内壁に回転可能なように取り付けられ、前記第一回転軸の前端末にカムが固定的に接続され、前記カムの凸部に前に前記第一伝導溝に伸びる第一伝導レバーが設置され、前記第一回転軸にター���ンが係合し接続され、前記タービンに左右に伸びる第三回転軸が固定的に接続され、前記第三回転軸の左右両端がベアリングを通じて前記収容箱に回転可能なように取り付けられ、前記第三回転軸に左右対称に両面錐輪が固定的に接続され、前記両面錐輪に第一錐輪が係合し接続され、前記第一錐輪が前記第二回転軸の後端末に固定的に接続し、前記分離筐体の右側の前記収容箱に取付筐体が設置され、前記取付筐体にコントローラが設置され、前記取付筐体の外側壁にヒンジを通じて蓋門が非固定的に取り付けられ、前記蓋門に施錠具が設置され、前記第一回転軸が前記タービンと接触する部位にネジが設置され、前記第一フィルターの第一濾過孔が前記第二フィルターの第二濾過孔より大きいことを特徴とするプログラムコントローラ装置。
【発明の詳細な説明】
【技術分野】
【０００１】
本発明は制御部品器材技術分野に関し、具体的にはプログラムコントローラ装置に関する。
【背景技術】
【０００２】
コントローラは最も重要な制御部品であり、各種の設備の運行を制御するコア部品であり、汚水浄化設備に使用され、しかし伝統的な汚水浄化設備のコントローラの制御プログラムを編集できなく、こうすると汚水を処理した後に二回反復使用できなく、水資源を大きく浪費し、それゆえプログラムコントローラ装置を提供し汚水設備を制御し固形粒物を濾過し汚水を二回反復使用できる設備を提供する必要がある。
【先行技術文献】
【特許文献】
【０００３】
【特許文献１】中国特許出願公開第102508465号明細書
【発明の概要】
【発明が解決しようとする課題】
【０００４】
本発明は解決する必要な技術問題に対してプログラムコントローラ装置を提供し、それは上記の現在の技術問題を解決できる。
【課題を解決するための手段】
【０００５】
本発明は以下の技術方案を通じて実現する。本発明のプログラムコントローラ装置は収容箱を含み、前記収容箱に分離筐体が設置され、前記分離筐体の左右内壁に相通するように対称する第一収容筐体が設置され、前記第一収容筐体が前記分離筐体の中心と離れる内壁に相通するように対称する第二収容筐体が設置され、前記分離筐体の後端に相通するように第三収容筐体が設置され、前記分離筐体に第一フィルターが設置され、前記第一フィルターの下端に第二フィルターが設置され、前記第二フィルターの下端に液箱が固定的に接続され、前記液箱の底部と前記第一収容筐体の間に相通するようにカテーテルが設置され、前記第一収容筐体の前端内壁に相通するように排泄溝が設置され、前記排泄溝のもう一端が前記収容箱の前端端面を通り抜けて、前記第一フィルターの頂部端面に第一スクレーパーが摺動可能なように係合して接続され、前記第一フィルターの左右両端に対称に前記第一収容筐体に伸びる第一斜角板が固定的に接続され、前記第二フィルターの頂部に第二スクレーパーが摺動可能なように係合して接続され、前記第二フィルターの左右両端に対称的に前記第二収容筐体に伸びる第二斜角板が固定的に接続され、前記第二フィルターの底部端面に前記液箱の後端に位置する伝導ブロックが摺動可能なように係合して接続され、前記伝導ブロックに上下に伸びる第一伝導溝が設置され、前記伝導ブロックに前記第一伝導溝の下に位置し左右に伸びる第二伝導レバーが摺動可能なように係合して接続され、前記第二伝導レバーの左右両端が前記分離筐体の左右両端内壁に固定的に接続し、前記分離筐体の後端内壁に左右に前記第一スクレーパーの後端に位置するE型滑り接続ブロックが摺動可能なように係合して接続され、前記第一スクレーパー、前記第二スクレーパー、前記滑り接続ブロックの後端が前記E型滑り接続ブロックの前端末と固定的に接続し、前記第二収容筐体の頂部内壁に第一モーターが設置され、前記第一モーターが下に伸びる第一回転軸と動力が伝達可能なように接続し、前記第一回転軸の周りに打ち砕くブレードが固定的に接続され、前記打ち砕くブレードの下端に左右対称に下に伸びる第三斜角板が設置され、前記第三斜角板が前記第二収容筐体の中心と離れる一端が前記第二収容筐体と固定的に接続し、前記第二収容筐体に前記第三斜角板の下端に位置し左右に対称する砕け輪が設置され、前記砕け輪の中に前後に伸びて、後端が前記第二収容筐体の後端内壁を通り抜けて前記第三収容筐体に伸びる第二回転軸が固定的に接続され、前記第二回転軸の前端末がベアリングを通じて前記収容箱に回転可能なように取り付けられ、前記第二収容筐体の底部に口が前記第二収容筐体の中心と離れる第二伝導溝が設置され、前記第二伝導溝に集取箱が摺動可能なように係合して接続され、前記第三収容筐体の後端内壁に第二モーターが設置され、前記第二モーターに前に伸びて前記第三収容筐体の前端内壁を通り抜けて前記分離筐体に伸びる第一回転軸が動力が伝達可能なように接続され、前記第一回転軸がベアリングを通じて前記第三収容筐体の前端内壁に回転可能なように取り付けられ、前記第一回転軸の前端末にカムが固定的に接続され、前記カムの凸部に前に前記第一伝導溝に伸びる第一伝���レバーが設置され、前記第一回転軸にタービンが係合し接続され、前記タービンに左右に伸びる第三回転軸が固定的に接続され、前記第三回転軸の左右両端がベアリングを通じて前記収容箱に回転可能なように取り付けられ、前記第三回転軸に左右対称に両面錐輪が固定的に接続され、前記両面錐輪に第一錐輪が係合し接続され、前記第一錐輪が前記第二回転軸の後端末に固定的に接続し、前記分離筐体の右側の前記収容箱に取付筐体が設置され、前記取付筐体にコントローラが設置され、前記取付筐体の外側壁にヒンジを通じて蓋門が非固定的に取り付けられ、前記蓋門に施錠具が設置される。
【０００６】
好ましい技術方案として前記第一回転軸が前記タービンと接触する部位にネジが設置される。
【０００７】
好ましい技術方案として前記第一フィルターの第一濾過孔が前記第二フィルターの第二濾過孔より大きい。
【０００８】
本発明の有益な効果は、本発明に係る設備は初期状態にある時、前記第一スクレーパーが前記第一フィルターの一番左端に位置し、前記第二スクレーパーが前記第二フィルターの一番左端に位置し、前記カムが水平状態にあり、前記第一伝導レバーが第一伝導溝の中心に位置し、前記集取箱の後端端面が前記収容箱と緊密に張り合わせて、前記排泄溝が閉合状態にある。
【０００９】
使用する時に、本装置を処理する必要な汚水溝と接続し、前記排泄溝を開き、前記コントローラを通じて前記第二モーターを制御し前記第一スクレーパーと連動して、前記第二スクレーパーがそれぞれ前記第一フィルター、第二フィルターで往復運動をし、前記コントローラを通じて前記第一モーターを制御し前記打ち砕くブレードと連動して回転し、前記第二モーターを起動し前記砕け輪と連動して回転する。
【００１０】
使用した後に、前記第一モーターと前記第二モーターを制御し回転を停止し、前記集取箱の中の固形粒物を収集し、統一して片付けることが便利である。
【００１１】
本発明に係る設備の構造が簡単で、操作が便利で、コントローラを通じて第一モーター、第二モーターを制御し本装置の共同作業を実現し、ひいては汚水の中の固形粒物を濾過し汚水の二回反復使用を実現し、水資源の浪費を大きく減らす。
【発明の効果】
【００１２】
本発明の有益な効果は、本発明に係る設備は初期状態にある時、前記第一スクレーパーが前記第一フィルターの一番左端に位置し、前記第二スクレーパーが前記第二フィルターの一番左端に位置し、前記カムが水平状態にあり、前記第一伝導レバーが第一伝導溝の中心に位置し、前記集取箱の後端端面が前記収容箱と緊密に張り合わせて、前記排泄溝が閉合状態にある。
【図面の簡単な説明】
【００１３】
【図１】図１は本発明のプログラムコントローラ装置の全体構造概略図である。
【図２】図２は図１の中のA-A方向の断面図である。
【図３】図３は図１の中のB-B方向の断面図である。
【図４】図４は図１の中の蓋門の右視図である。
【発明を実施するための形態】
【００１４】
説明しやすいため、本発明は以下の具体的な実施例と図面を交え詳しく説明する。
【００１５】
図1-4が示すように、本発明のプログラムコントローラ装置は収容箱100を含み、前記収容箱100に分離筐体110が設置され、前記分離筐体110の左右内壁に相通するように対称する第一収容筐体111が設置され、前記第一収容筐体111が前記分離筐体110の中心と離れる内壁に相通するように対称する第二収容筐体112が設置され、前記分離筐体110の後端に相通するように第三収容筐体113が設置され、前記分離筐体110に第一フィルター135が設置され、前記第一フィルター135の下端に第二フィルター136が設置され、前記第二フィルター136の下端に液箱137が固定的に接続され、前記液箱137の底部と前記第一収容筐体111の間に相通するようにカテーテル143が設置され、前記第一収容筐体111の前端内壁に相通するように排泄溝101が設置され、前記排泄溝101のもう一端が前記収容箱100の前端端面を通り抜けて、前記第一フィルター135の頂部端面に第一スクレーパー131が摺動可能なように係合して接続され、前記第一フィルター135の左右両端に対称に前記第一収容筐体111に伸びる第一斜角板133が固定的に接続され、前記第二フィルター136の頂部に第二スクレーパー132が摺動可能なように係合して接続され、前記第二フィルター136の左右両端に対称的に前記第二収容筐体112に伸びる第二斜角板134が固定的に接続され、前記第二フィルター136の底部端面に前記液箱137の後端に位置する伝導ブロック140が摺動可能なように係合して接続され、前記伝導ブロック140に上下に伸びる第一伝導溝142が設置され、前記伝導ブロック140に前記第一伝導溝142の下に位置し左右に伸びる第二伝導レバー141が摺動可能なように係合して接続され、前記第二伝導レバー141の左右両端が前記分離筐体110の左右両端内壁に固定的に接続し、前記分離筐体110の後端内壁に左右に前記第一スクレーパー131の後端に位置するE型滑り接続ブロック201が摺動可能なように係合して接続され、前記第一スクレーパー131、前記第二スクレーパー132、前記滑り接続ブロック140の後端が前記E型滑り接続ブロック201の前端末と固定的に接続し、前記第二収容筐体112の頂部内壁に第一モーター121が設置され、前記第一モーター121が下に伸びる第一回転軸151と動力が伝達可能なように接続し、前記第一回転軸151の周りに打ち砕くブレード152が固定的に接続され、前記打ち砕くブレード152の下端に左右対称に下に伸びる第三斜角板144が設置され、前記第三斜角板144が前記第二収容筐体112の中心と離れる一端が前記第二収容筐体112と固定的に接続し、前記第二収容筐体112に前記第三斜角板144の下端に位置し左右に対称する砕け輪153が設置され、前記砕け輪153の中に前後に伸びて、後端が前記第二収容筐体112の後端内壁を通り抜けて前記第三収容筐体113に伸びる第二回転軸300が固定的に接続され、前記第二回転軸300の前端末がベアリングを通じて前記収容箱100に回転可能なように取り付けられ、前記第二収容筐体112の底部に口が前記第二収容筐体112の中心と離れる第二伝導溝145が設置され、前記第二伝導溝145に集取箱154が摺動可能なように係合して接続され、前記第三収容筐体113の後端内壁に第二モーター122が設置され、前記第二モーター122に前に伸びて前記第三収容筐体113の前端内壁を通り抜けて前記分離筐体110に伸びる第一回転軸202が動力が伝達可能なように接続され、前記第一回転軸202がベアリングを通じて前記第三収容���体113の前端内壁に回転可能なように取り付けられ、前記第一回転軸202の前端末にカム138が固定的に接続され、前記カム138の凸部に前に前記第一伝導溝142に伸びる第一伝導レバー139が設置され、前記第一回転軸202にタービン203が係合し接続され、前記タービン203に左右に伸びる第三回転軸303が固定的に接続され、前記第三回転軸303の左右両端がベアリングを通じて前記収容箱100に回転可能なように取り付けられ、前記第三回転軸303に左右対称に両面錐輪302が固定的に接続され、前記両面錐輪302に第一錐輪301が係合し接続され、前記第一錐輪301が前記第二回転軸300の後端末に固定的に接続し、前記分離筐体110の右側の前記収容箱100に取付筐体が設置され、前記取付筐体にコントローラ188が設置され、前記取付筐体の外側壁にヒンジを通じて蓋門189が非固定的に取り付けられ、前記蓋門189に施錠具190が設置される。
【００１６】
好ましくは前記第一回転軸202が前記タービン203と接触する部位にネジが設置され、前記第一回転軸202と前記タービンが同時に回転することが便利である。
【００１７】
好ましくは前記第一フィルター135の第一濾過孔が前記第二フィルター136の第二濾過孔より大きく、汚水を処理することが便利である。
【００１８】
本発明に係る設備は初期状態にある時、前記第一スクレーパー131が前記第一フィルター135の一番左端に位置し、前記第二スクレーパー131が前記第二フィルター136の一番左端に位置し、前記カム223が水平状態にあり、前記第一伝導レバー139が第一伝導溝142の中心に位置し、前記集取箱154の後端端面が前記収容箱100と緊密に張り合わせて、前記排泄溝101が閉合状態にある。
【００１９】
使用する時に、本装置を処理する必要な汚水溝と接続し、前記排泄溝101を開き、前記コントローラ188を通じて前記第二モーター122を制御し前記第一スクレーパー131と連動して、前記第二スクレーパー132がそれぞれ前記第一フィルター135、第二フィルター136で往復運動をし、前記コントローラ188を通じて前記第一モーター121を制御し前記打ち砕くブレード152と連動して回転し、前記第二モーター122を起動し前記砕け輪と連動して回転する。
【００２０】
使用した後に、前記第一モーター121と前記第二モーター122を制御し回転を停止し、前記集取箱154の中の固形粒物を収集し、統一して片付けることが便利である。
【００２１】
本発明の有益な効果は、本発明に係る設備は初期状態にある時、前記第一スクレーパーが前記第一フィルターの一番左端に位置し、前記第二スクレーパーが前記第二フィルターの一番左端に位置し、前記カムが水平状態にあり、前記第一伝導レバーが第一伝導溝の中心に位置し、前記集取箱の後端端面が前記収容箱と緊密に張り合わせて、前記排泄溝が閉合状態にある。
【００２２】
使用する時に、本装置を処理する必要な汚水溝と接続し、前記排泄溝を開き、前記コントローラを通じて前記第二モーターを制御し前記第一スクレーパーと連動して、前記第二スクレーパーがそれぞれ前記第一フィルター、第二フィルターで往復運動をし、前記コントローラを通じて前記第一モーターを制御し前記打ち砕くブレードと連動して回転し、前記第二モーターを起動し前記砕け輪と連動して回転する。
【００２３】
使用した後に、前記第一モーターと前記第二モーターを制御し回転を停止し、前記集取箱の中の固形粒物を収集し、統一して片付けることが便利である。
【００２４】
本発明に係る設備の構造が簡単で、操作が便利で、コントローラを通じて第一モーター、第二モーターを制御し本装置の共同作業を実現し、ひいては汚水の中の固形粒物を濾過し汚水の二回反復使用を実現し、水資源の浪費を大きく減らす。
【００２５】
以上に述べたのはただ本発明のより良い実施例で、本発明を限定することに使用されない。本発明の意義と原則のもとで行う全ての修正、同等の入れ替えと改善などは本発明の保護囲に含まれる。
【図１】
2019181439.tif 000003
【図２】
2019181439.tif 000004
【図３】
2019181439.tif 000005
【図４】
2019181439.tif 000006
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
汚水浄化設備であって、収容箱を含み、前記収容箱に分離筐体が設置され、前記分離筐体の左右内壁に相通するように対称する第一収容筐体が設置され、前記収容箱の中には前記第一収容筐体の外側に位置し且つ前記第一収容筐体と通じる第二収容筐体が左右対称で設けられ、前記分離筐体の後端に相通するように第三収容筐体が設置され、前記分離筐体に第一フィルターが設置され、前記第一フィルターの下端に第二フィルターが設置され、前記第二フィルターの下端に液箱が固定的に接続され、前記液箱の底部と前記第一収容筐体の間に相通するようにカテーテルが設置され、前記第一収容筐体の前端には前記第一収容筐体と外部とを連通する排泄溝が設置され、前記第一フィルターの頂部端面に第一スクレーパーが摺動可能なように係合して接続され、前記第一フィルターの左右両端に対称に前記第一収容筐体に伸びる第一斜角板が固定的に接続され、前記第二フィルターの頂部に第二スクレーパーが摺動可能なように係合して接続され、前記第二フィルターの左右両端には前記第一収容筐体と前記第二収容筐体との通じるところを通り抜けて前記第二収容筐体に挿入する第二斜角板が対称的に固定接続され、前記第二フィルターの底部端面に前記液箱の後端に位置する伝導ブロックが摺動可能なように係合して接続され、前記伝導ブロックに上下に伸びる第一伝導溝が設置され、前記伝導ブロックに前記第一伝導溝の下に位置し左右に伸びる第二伝導レバーが摺動可能なように係合して接続され、前記第二伝導レバーの左右両端が前記分離筐体の左右両端内壁に固定的に接続し、前記分離筐体の後端内壁に左右に前記第一スクレーパーの後端に位置するE型滑り接続ブロックが摺動可能なように係合して接続され、前記第一スクレーパー、前記第二スクレーパー、前記伝導ブロックの後端が前記E型滑り接続ブロックの前端末と固定的に接続し、前記第二収容筐体の頂部内壁に第一モーターが設置され、前記第一モーターが下に伸びる第一回転軸と動力が伝達可能なように接続し、前記第一回転軸の周りに打ち砕くブレードが固定的に接続され、前記打ち砕くブレードの下端に左右対称に下に伸びる第三斜角板が設置され、前記第三斜角板が前記第二収容筐体の中心と離れる一端が前記第二収容筐体と固定的に接続し、前記第二収容筐体に前記第三斜角板の下端に位置し左右に対称する砕け輪が設置され、前記砕け輪の中に前後に伸びて、後端が前記第二収容筐体の後端内壁を通り抜けて前記第三収容筐体に伸びる第二回転軸が固定的に接続され、前記第二回転軸の前端末がベアリングを通じて前記収容箱に回転可能なように取り付けられ、前記第二収容筐体の底部には外部と通じる第二伝導溝が設置され、前記第二伝導溝に集取箱が摺動可能なように係合して接続され、前記第三収容筐体の後端内壁に第二モーターが設置され、前記第二モーターに前に伸びて前記第三収容筐体の前端内壁を通り抜けて前記分離筐体に伸びる第三回転軸が動力が伝達可能なように接続され、前記第一回転軸がベアリングを通じて前記第三収容筐体の前端内壁に回転可能なように取り付けられ、前記第一回転軸の前端末にカムが固定的に接続され、前記カムの凸部に前に前記第一伝導溝に伸びる第一伝導レバーが設置され、前記第一回転軸にター���ンが係合し接続され、前記タービンに左右に伸びる第四回転軸が固定的に接続され、前記第四回転軸の左右両端がベアリングを通じて前記収容箱に回転可能なように取り付けられ、前記第四回転軸に左右対称に両面錐輪が固定的に接続され、前記両面錐輪に第一錐輪が係合し接続され、前記第一錐輪が前記第二回転軸の後端末に固定的に接続し、前記分離筐体の右側の前記収容箱に取付筐体が設置され、前記取付筐体にコントローラが設置され、前記取付筐体の外側壁にヒンジを通じて蓋門が非固定的に取り付けられ、前記蓋門に施錠具が設置され、前記第一回転軸が前記タービンと接触する部位にネジが設置され、前記第一フィルターの第一濾過孔が前記第二フィルターの第二濾過孔より大きいことを特徴とする汚水浄化設備。
【手続補正２】
【補正対象書類名】明細書
【補正対象項目名】全文
【補正方法】変更
【補正の内容】
【発明の詳細な説明】
【技術分野】
【０００１】
本発明は制御部品器材技術分野に関し、具体的には汚水浄化設備に関する。
【背景技術】
【０００２】
コントローラは最も重要な制御部品であり、各種の設備の運行を制御するコア部品であり、汚水浄化設備に使用され、しかし伝統的な汚水浄化設備のコントローラの制御プログラムを編集できなく、こうすると汚水を処理した後に二回反復使用できなく、水資源を大きく浪費し、それゆえ汚水浄化設備を提供し汚水設備を制御し固形粒物を濾過し汚水を二回反復使用できる設備を提供する必要がある。
【先行技術文献】
【特許文献】
【０００３】
【特許文献１】中国特許出願公開第102508465号明細書
【発明の概要】
【発明が解決しようとする課題】
【０００４】
本発明は解決する必要な技術問題に対して汚水浄化設備を提供し、それは上記の現在の技術問題を解決できる。
【課題を解決するための手段】
【０００５】
本発明は以下の技術方案を通じて実現する。本発明の汚水浄化設備は収容箱を含み、前記収容箱に分離筐体が設置され、前記分離筐体の左右内壁に相通するように対称する第一収容筐体が設置され、前記収容箱の中には前記第一収容筐体の外側に位置し且つ前記第一収容筐体と通じる第二収容筐体が左右対称で設けられ、前記分離筐体の後端に相通するように第三収容筐体が設置され、前記分離筐体に第一フィルターが設置され、前記第一フィルターの下端に第二フィルターが設置され、前記第二フィルターの下端に液箱が固定的に接続され、前記液箱の底部と前記第一収容筐体の間に相通するようにカテーテルが設置され、前記第一収容筐体の前端には前記第一収容筐体と外部とを連通する排泄溝が設置され、前記第一フィルターの頂部端面に第一スクレーパーが摺動可能なように係合して接続され、前記第一フィルターの左右両端に対称に前記第一収容筐体に伸びる第一斜角板が固定的に接続され、前記第二フィルターの頂部に第二スクレーパーが摺動可能なように係合して接続され、前記第二フィルターの左右両端には前記第一収容筐体と前記第二収容筐体との通じるところを通り抜けて前記第二収容筐体に挿入する第二斜角板が対称的に固定接続され、前記第二フィルターの底部端面に前記液箱の後端に位置する伝導ブロックが摺動可能なように係合して接続され、前記伝導ブロックに上下に伸びる第一伝導溝が設置され、前記伝導ブロックに前記第一伝導溝の下に位置し左右に伸びる第二伝導レバーが摺動可能なように係合して接続され、前記第二伝導レバーの左右両端が前記分離筐体の左右両端内壁に固定的に接続し、前記分離筐体の後端内壁に左右に前記第一スクレーパーの後端に位置するE型滑り接続ブロックが摺動可能なように係合して接続され、前記第一スクレーパー、前記第二スクレーパー、前記伝導ブロックの後端が前記E型滑り接続ブロックの前端末と固定的に接続し、前記第二収容筐体の頂部内壁に第一モーターが設置され、前記第一モーターが下に伸びる第一回転軸と動力が伝達可能なように接続し、前記第一回転軸の周りに打ち砕くブレードが固定的に接続され、前記打ち砕くブレードの下端に左右対称に下に伸びる第三斜角板が設置され、前記第三斜角板が前記第二収容筐体の中心と離れる一端が前記第二収容筐体と固定的に接続し、前記第二収容筐体に前記第三斜角板の下端に位置し左右に対称する砕け輪が設置され、前記砕け輪の中に前後に伸びて、後端が前記第二収容筐体の後端内壁を通り抜けて前記第三収容筐体に伸びる第二回転軸が固定的に接続され、前記第二回転軸の前端末がベアリングを通じて前記収容箱に回転可能なように取り付けられ、前記第二収容筐体の底部には外部と通じる第二伝導溝が設置され、前記第二伝導溝に集取箱が摺動可能なように係合して接続され、前記第三収容筐体の後端内壁に第二モーターが設置され、前記第二モーターに前に伸びて前記第三収容筐体の前端内壁を通り抜けて前記分離筐体に伸びる第三回転軸が動力が伝達可能なように接続され、前記第一回転軸がベアリングを通じて前記第三収容筐体の前端内壁に回転可能なように取り付けられ、前記第一回転軸の前端末にカムが固定的に接続され、前記カムの凸部に前に前記第一伝導溝に伸びる第一伝���レバーが設置され、前記第一回転軸にタービンが係合し接続され、前記タービンに左右に伸びる第四回転軸が固定的に接続され、前記第四回転軸の左右両端がベアリングを通じて前記収容箱に回転可能なように取り付けられ、前記第四回転軸に左右対称に両面錐輪が固定的に接続され、前記両面錐輪に第一錐輪が係合し接続され、前記第一錐輪が前記第二回転軸の後端末に固定的に接続し、前記分離筐体の右側の前記収容箱に取付筐体が設置され、前記取付筐体にコントローラが設置され、前記取付筐体の外側壁にヒンジを通じて蓋門が非固定的に取り付けられ、前記蓋門に施錠具が設置される。
【０００６】
好ましい技術方案として前記第一回転軸が前記タービンと接触する部位にネジが設置される。
【０００７】
好ましい技術方案として前記第一フィルターの第一濾過孔が前記第二フィルターの第二濾過孔より大きい。
【０００８】
本発明の有益な効果は、本発明に係る設備は初期状態にある時、前記第一スクレーパーが前記第一フィルターの一番左端に位置し、前記第二スクレーパーが前記第二フィルターの一番左端に位置し、前記カムが水平状態にあり、前記第一伝導レバーが第一伝導溝の中心に位置し、前記集取箱の後端端面が前記収容箱と緊密に張り合わせて、前記排泄溝が閉合状態にある。
【０００９】
使用する時に、本装置を処理する必要な汚水溝と接続し、前記排泄溝を開き、前記コントローラを通じて前記第二モーターを制御し前記第一スクレーパーと連動して、前記第二スクレーパーがそれぞれ前記第一フィルター、第二フィルターで往復運動をし、前記コントローラを通じて前記第一モーターを制御し前記打ち砕くブレードと連動して回転し、前記第二モーターを起動し前記砕け輪と連動して回転する。
【００１０】
使用した後に、前記第一モーターと前記第二モーターを制御し回転を停止し、前記集取箱の中の固形粒物を収集し、統一して片付けることが便利である。
【００１１】
本発明に係る設備の構造が簡単で、操作が便利で、コントローラを通じて第一モーター、第二モーターを制御し本装置の共同作業を実現し、ひいては汚水の中の固形粒物を濾過し汚水の二回反復使用を実現し、水資源の浪費を大きく減らす。
【発明の効果】
【００１２】
本発明の有益な効果は、本発明に係る設備は初期状態にある時、前記第一スクレーパーが前記第一フィルターの一番左端に位置し、前記第二スクレーパーが前記第二フィルターの一番左端に位置し、前記カムが水平状態にあり、前記第一伝導レバーが第一伝導溝の中心に位置し、前記集取箱の後端端面が前記収容箱と緊密に張り合わせて、前記排泄溝が閉合状態にある。
【図面の簡単な説明】
【００１３】
【図１】図１は本発明の汚水浄化設備の全体構造概略図である。
【図２】図２は図１の中のA-A方向の断面図である。
【図３】図３は図１の中のB-B方向の断面図である。
【図４】図４は図１の中の蓋門の右視図である。
【発明を実施するための形態】
【００１４】
説明しやすいため、本発明は以下の具体的な実施例と図面を交え詳しく説明する。
【００１５】
図1-4が示すように、本発明の汚水浄化設備は収容箱100を含み、前記収容箱100に分離筐体110が設置され、前記分離筐体110の左右内壁に相通するように対称する第一収容筐体111が設置され、前記収容箱100の中には前記第一収容筐体111の外側に位置し且つ前記第一収容筐体111と通じる第二収容筐体112が左右対称で設けられ、前記分離筐体110の後端に相通するように第三収容筐体113が設置され、前記分離筐体110に第一フィルター135が設置され、前記第一フィルター135の下端に第二フィルター136が設置され、前記第二フィルター136の下端に液箱137が固定的に接続され、前記液箱137の底部と前記第一収容筐体111の間に相通するようにカテーテル143が設置され、前記第一収容筐体111の前端には前記第一収容筐体111と外部とを連通する排泄溝101が設置され、前記第一フィルター135の頂部端面に第一スクレーパー131が摺動可能なように係合して接続され、前記第一フィルター135の左右両端に対称に前記第一収容筐体111に伸びる第一斜角板133が固定的に接続され、前記第二フィルター136の頂部に第二スクレーパー132が摺動可能なように係合して接続され、前記第二フィルター136の左右両端には前記第一収容筐体111と前記第二収容筐体112との通じるところを通り抜けて前記第二収容筐体112に挿入する第二斜角板134が対称的に固定接続され、前記第二フィルター136の底部端面に前記液箱137の後端に位置する伝導ブロック140が摺動可能なように係合して接続され、前記伝導ブロック140に上下に伸びる第一伝導溝142が設置され、前記伝導ブロック140に前記第一伝導溝142の下に位置し左右に伸びる第二伝導レバー141が摺動可能なように係合して接続され、前記第二伝導レバー141の左右両端が前記分離筐体110の左右両端内壁に固定的に接続し、前記分離筐体110の後端内壁に左右に前記第一スクレーパー131の後端に位置するE型滑り接続ブロック201が摺動可能なように係合して接続され、前記第一スクレーパー131、前記第二スクレーパー132、前記伝導ブロック140の後端が前記E型滑り接続ブロック201の前端末と固定的に接続し、前記第二収容筐体112の頂部内壁に第一モーター121が設置され、前記第一モーター121が下に伸びる第一回転軸151と動力が伝達可能なように接続し、前記第一回転軸151の周りに打ち砕くブレード152が固定的に接続され、前記打ち砕くブレード152の下端に左右対称に下に伸びる第三斜角板144が設置され、前記第三斜角板144が前記第二収容筐体112の中心と離れる一端が前記第二収容筐体112と固定的に接続し、前記第二収容筐体112に前記第三斜角板144の下端に位置し左右に対称する砕け輪153が設置され、前記砕け輪153の中に前後に伸びて、後端が前記第二収容筐体112の後端内壁を通り抜けて前記第三収容筐体113に伸びる第二回転軸300が固定的に接続され、前記第二回転軸300の前端末がベアリングを通じて前記収容箱100に回転可能なように取り付けられ、前記第二収容筐体112の底部には外部と通じる第二伝導溝145が設置され、前記第二伝導溝145に集取箱154が摺動可能なように係合して接続され、前記第三収容筐体113の後端内壁に第二モーター122が設置され、前記第二モーター122に前に伸びて前記第三収容筐体113の前端内壁を通り抜けて前記分離筐体110に伸びる第三回転軸が動力が伝達可能なように接続され、通り抜けて前記分離筐体110に伸びる第一回転軸202が動���が伝達可能なように接続され、前記第一回転軸202がベアリングを通じて前記第三収容筐体113の前端内壁に回転可能なように取り付けられ、前記第一回転軸202の前端末にカム138が固定的に接続され、前記カム138の凸部に前に前記第一伝導溝142に伸びる第一伝導レバー139が設置され、前記第一回転軸202にタービン203が係合し接続され、前記タービン203に左右に伸びる第四回転軸303が固定的に接続され、前記第四回転軸303の左右両端がベアリングを通じて前記収容箱100に回転可能なように取り付けられ、前記第四回転軸303に左右対称に両面錐輪302が固定的に接続され、前記両面錐輪302に第一錐輪301が係合し接続され、前記第一錐輪301が前記第二回転軸300の後端末に固定的に接続し、前記分離筐体110の右側の前記収容箱100に取付筐体が設置され、前記取付筐体にコントローラ188が設置され、前記取付筐体の外側壁にヒンジを通じて蓋門189が非固定的に取り付けられ、前記蓋門189に施錠具190が設置される。
【００１６】
好ましくは前記第一回転軸202が前記タービン203と接触する部位にネジが設置され、前記第一回転軸202と前記タービンが同時に回転することが便利である。
【００１７】
好ましくは前記第一フィルター135の第一濾過孔が前記第二フィルター136の第二濾過孔より大きく、汚水を処理することが便利である。
【００１８】
本発明に係る設備は初期状態にある時、前記第一スクレーパー131が前記第一フィルター135の一番左端に位置し、前記第二スクレーパー131が前記第二フィルター136の一番左端に位置し、前記カム223が水平状態にあり、前記第一伝導レバー139が第一伝導溝142の中心に位置し、前記集取箱154の後端端面が前記収容箱100と緊密に張り合わせて、前記排泄溝101が閉合状態にある。
【００１９】
使用する時に、本装置を処理する必要な汚水溝と接続し、前記排泄溝101を開き、前記コントローラ188を通じて前記第二モーター122を制御し前記第一スクレーパー131と連動して、前記第二スクレーパー132がそれぞれ前記第一フィルター135、第二フィルター136で往復運動をし、前記コントローラ188を通じて前記第一モーター121を制御し前記打ち砕くブレード152と連動して回転し、前記第二モーター122を起動し前記砕け輪と連動して回転する。
【００２０】
使用した後に、前記第一モーター121と前記第二モーター122を制御し回転を停止し、前記集取箱154の中の固形粒物を収集し、統一して片付けることが便利である。
【００２１】
本発明の有益な効果は、本発明に係る設備は初期状態にある時、前記第一スクレーパーが前記第一フィルターの一番左端に位置し、前記第二スクレーパーが前記第二フィルターの一番左端に位置し、前記カムが水平状態にあり、前記第一伝導レバーが第一伝導溝の中心に位置し、前記集取箱の後端端面が前記収容箱と緊密に張り合わせて、前記排泄溝が閉合状態にある。
【００２２】
使用する時に、本装置を処理する必要な汚水溝と接続し、前記排泄溝を開き、前記コントローラを通じて前記第二モーターを制御し前記第一スクレーパーと連動して、前記第二スクレーパーがそれぞれ前記第一フィルター、第二フィルターで往復運動をし、前記コントローラを通じて前記第一モーターを制御し前記打ち砕くブレードと連動して回転し、前記第二モーターを起動し前記砕け輪と連動して回転する。
【００２３】
使用した後に、前記第一モーターと前記第二モーターを制御し回転を停止し、前記集取箱の中の固形粒物を収集し、統一して片付けることが便利である。
【００２４】
本発明に係る設備の構造が簡単で、操作が便利で、コントローラを通じて第一モーター、第二モーターを制御し本装置の共同作業を実現し、ひいては汚水の中の固形粒物を濾過し汚水の二回反復使用を実現し、水資源の浪費を大きく減らす。
【００２５】
以上に述べたのはただ本発明のより良い実施例で、本発明を限定することに使用されない。本発明の意義と原則のもとで行う全ての修正、同等の入れ替えと改善などは本発明の保護囲に含まれる。